(57)【要約】【課題】より多くの不純ガスを効率よく吸着し、吸着された不純ガスの再放出を最小限に抑えることで、放電ガスの純度を維持し、安定した放電を実現することができる、画像表示品質に優れたプラズマディスプレイパネルを提供する。【解決手段】走査電極２２および維持電極２３とデータ電極３２とで形成される複数の主放電セル４０と、主放電セル４０に隣接して形成された隙間部４１と、主放電セル４０と隙間部４１とを区画するように形成した横隔壁３４ｂとを有し、隙間部４１の内部にガス吸着層４２を設ける。【選択図】図１
2005302547.tif 000002
【特許請求の範囲】
【請求項１】
互いに平行に配置された複数の走査電極および複数の維持電極を有する第１の基板と、平行に配置された複数のデータ電極を有する第２の基板とを、前記第１の基板上の走査電極および維持電極と前記第２の基板上のデータ電極とが交差する方向に対向配置して、内部に複数の主放電セルを形成するとともに、前記主放電セルに隣接して隔壁により区画された隙間部を形成し、
前記隙間部にガス吸着層を形成したことを特徴とするプラズマディスプレイパネル。
【請求項２】
互いに平行に配置された複数の走査電極および複数の維持電極を有する第１の基板と、平行に配置された複数のデータ電極と前記データ電極上に形成された誘電体層と前記誘電体層上に前記データ電極と交差する方向に配置された複数のプライミング電極とを有する第２の基板とを、前記第１の基板上の走査電極および維持電極と前記第２の基板上のデータ電極とが交差する方向に対向配置して、前記走査電極および前記維持電極と前記データ電極とを備えた複数の主放電セルを形成するとともに、前記主放電セルに隣接して隔壁により区画された隙間部および前記走査電極と前記プライミング電極とを備えた複数のプライミング放電セルを形成し、
前記隙間部にガス吸着層を形成したことを特徴とするプラズマディスプレイパネル。
【請求項３】
前記主放電セルと前記隙間部とが交互に形成されていることを特徴とする請求項１または請求項２に記載のプラズマディスプレイパネル。
【請求項４】
前記ガス吸着層は、ＴｉＯ２を主成分とする材料、ＭｇＯを主成分とする材料、Ｚｒを主成分とする材料の中から選ばれる少なくとも一つの材料によって形成することを特徴とする請求項１から請求項３のいずれかに記載のプラズマディスプレイパネル。
【発明の詳細な説明】
【技術分野】
【０００１】
本発明は、壁掛けテレビや大型モニターに用いられるプラズマディスプレイパネルに関する。
【背景技術】
【０００２】
ＡＣ型として代表的な交流面放電型プラズマディスプレイパネル（以下、ＰＤＰと呼ぶ）は、対向配置された前面板と背面板との間に多数の放電セルを形成している。前面板は、面放電を行う走査電極および維持電極からなる表示電極が前面ガラス基板上に互いに平行に対をなして複数形成され、それら表示電極を覆うように誘電体層および保護層が形成されている。背面板は、背面ガラス基板上に複数の平行なデータ電極と、それらを覆うように設けられた誘電体層と、さらにその上にデータ電極と平行に複数の隔壁がそれぞれ形成され、誘電体層の表面と隔壁の側面とに蛍光体層が形成されている。そして、表示電極とデータ電極とが立体交差するように前面板と背面板とを対向配置し、放電によって紫外線を放射する放電ガスを内部に封入し、その外周部をガラスフリット等の封着材によって封着して放電空間を形成している。放電空間は隔壁によって複数の放電セルに区画され、これらの放電セルはマトリックス状に並んで形成される。このような構成のＰＤＰにおいては、ガス放電により紫外線を発生させ、この紫外線で赤色（Ｒ）、緑色（Ｇ）、青色（Ｂ）の各色の蛍光体を励起して発光させることによりカラー表示を行っている。
【０００３】
このような構成のＰＤＰでは、ガラス粉末に有機溶剤、有機バインダ等を混合してペースト状とし、これを塗布、乾燥、焼成して誘電体層を生成する。焼成時にはガラス粉末が溶融し、また、有機バインダ等は熱分解されて、誘電体層が形成される。そして、有機バインダ等が熱分解される際には、放電を阻害する性質を有する不純ガス（例えばＨ２Ｏ、ＣＯ２、あるいは炭化水素ガス等の有機系のガス等）が大量に発生する。
【０００４】
この不純ガスが放電ガスに混入すると、放電開始電圧の上昇等により放電が不安定になり、発光輝度のばらつきや表示のちらつきといった不具合が発生する。
【０００５】
そこで、これら焼成時に発生した不純ガスを除去するため、ＰＤＰの背面板側に排気孔を設け、製造工程中の排気工程において、真空排気装置によってこの排気孔から不純ガスをＰＤＰの外へ排気する。そして、排気後、放電ガスをＰＤＰ内部に送入し、排気孔を封着して、放電空間を密封する。
【０００６】
しかし、排気工程における排気孔からの排気だけでは不純ガスを完全に除去することができず、その一部が放電空間に残留するといった課題があった。また、放電動作を安定させるため長時間放電を行うエージング工程において、保護層等に吸着された不純ガスの一部が、放電の刺激によって保護層等から再放出されるといった課題があった。
【０００７】
これらの課題を解決するために、放電セル内の隔壁の表面に不純ガスを吸着する吸着膜を形成して不純ガスを低減する技術が提案されている（例えば、特許文献１参照）。
【特許文献１】特開２００３−３０３５５５号公報
【発明の開示】
【発明が解決しようとする課題】
【０００８】
しかしながら、このようなＰＤＰにおいては、吸着膜が放電セル内に形成されているため放電が阻害される、吸着膜に吸着された不純ガスが放電によって再放出されてしまうといった課題があった。
【０００９】
本発明は、このような課題に鑑みてなされたものであり、主放電セルにおける放電がガス吸着層によって阻害されることがなく、また、吸着された不純ガスがガス吸着層から再放出されにくく、効率的に不純ガスを吸着することができるＰＤＰを提供することを目的とする。
【課題を解決するための手段】
【００１０】
このような目的を達成するために、本発明のＰＤＰは、互いに平行に配置された複数の走査電極および複数の維持電極を有する第１の基板と、平行に配置された複数のデータ電極を有する第２の基板とを、第１の基板上の走査電極および維持電極と第２の基板上のデータ電極とが交差する方向に対向配置して、内部に複数の主放電セルを形成するとともに、主放電セルに隣接して隔壁により区画された隙間部を形成し、隙間部にガス吸着層を形成する構成である。
【００１１】
このような構成によれば、主放電セルにおける放電がガス吸着層によって阻害されることがなく、また、吸着された不純ガスがガス吸着層から再放出されにくく、効率的に不純ガスを吸着することができる。
【００１２】
また、互いに平行に配置された複数の走査電極および複数の維持電極を有する第１の基板と、平行に配置された複数のデータ電極とデータ電極上に形成された誘電体層と誘電体層上にデータ電極と交差する方向に配置された複数のプライミング電極とを有する第２の基板とを、第１の基板上の走査電極および維持電極と第２の基板上のデータ電極とが交差する方向に対向配置して、走査電極および維持電極とデータ電極とを備えた複数の主放電セルを形成するとともに、主放電セルに隣接して隔壁により区画された隙間部および走査電極とプライミング電極とを備えた複数のプライミング放電セルを形成し、隙間部にガス吸着層を形成する構成であってもよい。
【００１３】
このような構成によれば、プライミング放電セルを有するＰＤＰにおいて、主放電セルにおける放電がガス吸着層によって阻害されることがなく、また、吸着された不純ガスがガス吸着層から再放出されにくく、効率的に不純ガスを吸着することができる。
【００１４】
また、主放電セルと隙間部とを交互に形成する構成であってもよい。このような構成によれば、さらに効率的に不純ガスを吸着することができる。
【００１５】
また、ガス吸着層は、ＴｉＯ２を主成分とする材料、ＭｇＯを主成分とする材料、Ｚｒを主成分とする材料の中から選ばれる少なくとも一つの材料によって形成する構成であってもよい。このような構成によれば、さらに効率的に不純ガスを吸着することができる。
【発明の効果】
【００１６】
本発明によれば、主放電セルにおける放電がガス吸着層によって阻害されることがなく、また、吸着された不純ガスがガス吸着層から再放出されにくく、効率的に不純ガスを吸着することができるＰＤＰを実現することができる。
【発明を実施するための最良の形態】
【００１７】
以下、本発明の実施の形態について、図面を参照しながら説明する。
【００１８】
（第１の実施の形態）
図１は本発明の第１の実施の形態におけるＰＤＰの断面図であり、図２は同ＰＤＰの背面基板側の構造を模式的に示す斜視図である。
【００１９】
図１に示すように、ＰＤＰ１０は第１の基板であるガラス製の前面基板２１等よりなる前面板５０と、第２の基板である背面基板３１等よりなる背面板６０とが放電空間を挟んで対向して配置され、その外周部をガラスフリット（図示せず）等の封着材によって封着している。放電空間には放電によって紫外線を放射する放電ガスとして、ネオン（Ｎｅ）およびキセノン（Ｘｅ）等の混合ガスが封入されている。
【００２０】
前面板５０の前面基板２１上には、走査電極２２と維持電極２３とが互いに平行に対をなして複数形成されている。このとき、維持電極２３−走査電極２２−走査電極２２−維持電極２３−・・・となるように２本ずつ交互に配列されている。走査電極２２と維持電極２３はそれぞれ透明電極２２ａ、２３ａと、透明電極２２ａ、２３ａ上に重なるように形成された金属母線２２ｂ、２３ｂとから構成されている。隣り合う走査電極２２−走査電極２２の間、および維持電極２３−維持電極２３の間には発光時のコントラストを高めるために黒色材料等からなる光吸収層２８が設けられている。
【００２１】
走査電極２２同士が隣り合う光吸収層２８上には、走査電極２２のうち一方の走査電極２２から金属母線２２ｂが延長されて補助電極２２ｂ’が形成されている。そして、これらの走査電極２２、維持電極２３および光吸収層２８を覆うように鉛−ホウ素（Ｐｂ−Ｂ）系ガラス等からなる前面板誘電体層２４が形成され、さらにその上に酸化マグネシウム（ＭｇＯ）等からなる保護層２５が設けられている。
【００２２】
背面板６０の背面基板３１上には、走査電極２２および維持電極２３と交差する方向に、データ電極３２が互いに平行に複数形成されている。そして、データ電極３２を覆うように誘電体層３３ａが形成され、誘電体層３３ａの上に、前面基板２１に設けられた補助電極２２ｂ’と対応する位置に、走査電極２２および維持電極２３と平行にプライミング電極３６が複数形成されている。さらに、プライミング電極３６を覆って誘電体層３３ｂが設けられている。
【００２３】
また、誘電体層３３ｂ上には隔壁３４が形成され、隔壁３４は放電空間を区画して、走査電極２２および維持電極２３とデータ電極３２とで形成される複数の主放電セル４０を形成している。隔壁３４は、図２に示すように、データ電極３２と平行な方向に延びる縦隔壁３４ａと、走査電極２２および維持電極２３と平行な方向に延び、主放電セル４０の間に隙間部４１を形成する横隔壁３４ｂとで構成されている。
【００２４】
隙間部４１は一つおきにプライミング電極３６を有し、補助電極２２ｂ’とプライミング電極３６を有さない隙間部４１にはガス吸着層４２が形成され、補助電極２２ｂ’とプライミング電極３６を有した隙間部４１はプライミング放電セル（以下、プライミングセルと略記する）４１ａとして形成される。したがって、主放電セル４０は、横隔壁３４ｂとこの横隔壁３４ｂに交差するように設けられた縦隔壁３４ａとにより格子状に形成されている。
【００２５】
また、図１に示すように、主放電セル４０には蛍光体層３５がそれぞれの隔壁３４側面と誘電体層３３ｂ上に形成されている。蛍光体層３５は背面板６０に設けられたそれぞれのデータ電極３２に対応しており、紫外線によってＲ、Ｇ、Ｂに発光する蛍光体層３５が交互に設けられ、同一データ電極３２上に設けられた主放電セル４０には同一色の蛍光体層３５が形成されている。
【００２６】
前面基板２１と背面基板３１を対向配置して封着する際、前面基板２１上に形成された走査電極２２の金属母線２２ｂのうち光吸収層２８上に突出した補助電極２２ｂ’と、背面基板３１上に形成されたプライミング電極３６とが平行に、かつプライミングセル４１ａを挟んで対向するように位置合わせする。すなわち、図１、図２に示したＰＤＰ１０は、前面基板２１側に形成された補助電極２２ｂ’と、背面基板３１側に形成されたプライミング電極３６との間でプライミング放電を行う構成となっている。また、図１ではプライミングセル４１ａ側に蛍光体層３５を形成していないが、これは、放電を阻害する働きのある蛍光体層を設けないことでプライミング放電を発生しやすくするためである。さらに、補助電極２２ｂ’とプライミング電極３６との間隔はデータ電極３２と透明電極２２ａとの間隔よりも短いので、プライミング放電は書込み放電よりも放電開始電圧が低く、放電が発生しやすい。また、データ電極３２とプライミング電極３６とは誘電体層３３ａによって絶縁を確保し、プライミング放電と書込み放電とが互いに影響を受けずに安定して行える。
【００２７】
なお、図１、図２にはプライミング電極３６を覆うようにさらに誘電体層３３ｂが形成されているが、この誘電体層３３ｂは形成しなくてもよい。
【００２８】
図３は本発明の第１の実施の形態におけるＰＤＰ１０の電極配列図である。列方向にｍ列のデータ電極Ｄ１〜Ｄｍ（図１のデータ電極３２）が配列され、行方向にｎ行の走査電極ＳＣ１〜ＳＣｎ（図１の走査電極２２）とｎ行の維持電極ＳＵ１〜ＳＵｎ（図１の維持電極２３）とが維持電極ＳＵ１−走査電極ＳＣ１−走査電極ＳＣ２−維持電極ＳＵ２−・・・となるように２本ずつ交互に配列されている。そして、奇数行目の走査電極ＳＣ１、ＳＣ３、・・・の補助電極２２ｂ’（図１の補助電極２２ｂ’）と対向するようにｎ／２本のプライミング電極ＰＲ１、ＰＲ３、・・・（図１のプライミング電極３６）が配列されている。
【００２９】
そして、一対の走査電極ＳＣｉ、維持電極ＳＵｉ（ｉ＝１〜ｎ）と一つのデータ電極Ｄｊ（ｊ＝１〜ｍ）とを含む放電セルＣｉ，ｊ（図１の主放電セル４０）が放電空間内に形成される。このとき放電セルＣの総数はｍ×ｎ個になる。また１〜ｎ行のうちの奇数行に走査電極ＳＣｉの補助電極２２ｂ’とプライミング電極ＰＲｉとを含むプライミングセルＰＳｉ（図１のプライミングセル４１ａ）が形成され、プライミングセルＰＳの総数はｎ／２になる。
【００３０】
このように、本発明の第１の実施の形態におけるＰＤＰ１０においては、奇数行目の走査電極ＳＣｐ（ｐ＝奇数）は補助電極２２ｂ’を持ち、自己の走査に伴ってプライミング放電を発生させるとともに書込みを行う。一方、偶数行目の走査電極ＳＣｐ＋１は補助電極２２ｂ’がなく、自己の走査に伴うプライミング放電を発生させずに書込みを行う。
【００３１】
図４は、本発明の第１の実施の形態におけるＰＤＰ１０の駆動波形図である。なお、本発明の第１の実施の形態においては、１フィールド期間を発光期間の重みを持った複数のサブフィールドに分割し、発光させるサブフィールドの組み合わせによって階調表示を行う。また、各サブフィールドは初期化期間、書込み期間、維持期間を有しており、それぞれのサブフィールドは発光期間の重みを変えるため維持期間における維持パルスの数を異ならせている以外はほぼ同様の動作を行い、各サブフィールドにおける動作原理もほぼ同様であるので、ここでは一つのサブフィールドについてのみ動作を説明する。
【００３２】
初期化期間前半部では、データ電極Ｄ１〜Ｄｍ、維持電極ＳＵ１〜ＳＵｎおよびプライミング電極ＰＲ１〜ＰＲｎ−１をそれぞれ０（Ｖ）に保持し、走査電極ＳＣ１〜ＳＣｎには、維持電極ＳＵ１〜ＳＵｎに対して放電開始電圧以下の電圧Ｖｉ１から、放電開始電圧を越える電圧Ｖｉ２に向かって緩やかに上昇する傾斜波形電圧を印加する。この傾斜波形電圧が上昇する間に、走査電極ＳＣ１〜ＳＣｎと維持電極ＳＵ１〜ＳＵｎ、データ電極Ｄ１〜Ｄｍ、プライミング電極ＰＲ１〜ＰＲｎ−１との間でそれぞれ一回目の微弱な初期化放電が起こる。そして、走査電極ＳＣ１〜ＳＣｎ上部に負の壁電圧が蓄積されるとともに、データ電極Ｄ１〜Ｄｍ上部、維持電極ＳＵ１〜ＳＵｎ上部およびプライミング電極ＰＲ１〜ＰＲｎ−１上部には正の壁電圧が蓄積される。ここで、電極上部の壁電圧とは電極を覆う誘電体層上に蓄積された壁電荷により生じる電圧をあらわす。
【００３３】
初期化期間後半部では、維持電極ＳＵ１〜ＳＵｎを正電圧Ｖｅに保ち、走査電極ＳＣ１〜ＳＣｎには、維持電極ＳＵ１〜ＳＵｎに対して放電開始電圧以下となる電圧Ｖｉ３から放電開始電圧を越える電圧Ｖｉ４に向かって緩やかに下降する傾斜波形電圧を印加する。この間に、走査電極ＳＣ１〜ＳＣｎと維持電極ＳＵ１〜ＳＵｎ、データ電極Ｄ１〜Ｄｍ、プライミング電極ＰＲ１〜ＰＲｎ−１との間でそれぞれ二回目の微弱な初期化放電が起こる。そして、走査電極ＳＣ１〜ＳＣｎ上部の負の壁電圧および維持電極ＳＵ１〜ＳＵｎ上部の正の壁電圧が弱められ、データ電極Ｄ１〜Ｄｍ上部の正の壁電圧は書込み動作に適した値に調整され、プライミング電極ＰＲ１〜ＰＲｎ−１上部の正の壁電圧もプライミング動作に適した値に調整される。以上により初期化動作が終了する。
【００３４】
書込み期間では、走査電極ＳＣ１〜ＳＣｎを一旦電圧Ｖｃに保持する。そして、プライミング電極ＰＲ１〜ＰＲｎ−１に電圧変化分（Ｖｃ−Ｖｉ４）とほぼ等しい電圧Ｖｑを印加する。
【００３５】
まず、奇数行目の放電セルＣｐ，１〜Ｃｐ，ｍの書込み動作では、走査電極ＳＣｐに走査パルス電圧Ｖａを印加するとともに、表示すべき画像信号に対応するデータ電極Ｄｋ（ｋは１〜ｍの整数）に正の書込みパルスＶｄを印加する。奇数行目の走査電極ＳＣｐは自己の走査に伴ってプライミング放電を発生させるとともに書込みを行う走査電極である。したがって、この走査パルス電圧Ｖａの印加により、プライミングセルＰＳｐにおいてプライミング電極ＰＲｐと走査電極ＳＣｐとの間でプライミング放電が発生し、放電セルＣｐ，１〜Ｃｐ，ｍと放電セルＣｐ＋１，１〜Ｃｐ＋１，ｍとの内部にプライミング粒子が供給される。このときの放電は、上述したようにプライミングセルが放電しやすい構造であるため、放電遅れが小さく速い安定したプライミング放電となる。
【００３６】
その後、引き続いて書込みパルス電圧を印加したデータ電極Ｄｋに対応する放電セルＣｐ，ｋで書込み放電が発生する。このとき、放電セルＣｐ，ｋの放電は走査電極ＳＣｐとプライミング電極ＰＲｐとの間で発生したプライミング放電からプライミング粒子が供給されつつ発生するので、プライミングセルからプライミング粒子の供給が始まるまでの時間遅れはあるものの、プライミング粒子の供給後は放電遅れが小さく安定した放電となる。
【００３７】
この書込み放電により放電セルＣｐ，ｋの走査電極ＳＣｐ上部に正電圧が蓄積され、維持電極ＳＵｐ上部に負電圧が蓄積されて、奇数行目の書込み動作が終了する。
【００３８】
次に、偶数行目の放電セルＣｐ＋１，１〜Ｃｐ＋１，ｍの書込み動作では、ｐ＋１行目の走査電極ＳＣｐ＋１に走査パルス電圧Ｖａを印加すると同時に、データ電極Ｄ１〜Ｄｍのうちｐ＋１行目に表示すべき画像信号に対応するデータ電極Ｄｋに正の書込みパルス電圧Ｖｄを印加する。これにより、データ電極Ｄｋと走査電極ＳＣｐ＋１との交差部で放電が発生する。このとき、放電セルＣｐ＋１，ｋでは走査電極ＳＣｐとプライミング電極ＰＲｐとの間で発生したプライミング放電から十分なプライミング粒子がすでに供給された状態で放電が発生するので、書込み放電の放電遅れは非常に小さく安定した放電となる。
【００３９】
この書込み放電により放電セルＣｐ＋１，ｋの走査電極ＳＣｐ＋１上部に正電圧が蓄積され、維持電極ＳＵｐ＋１上部に負電圧が蓄積されて、偶数行目の書込み動作が終了する。
【００４０】
以下、同様の書込み動作をｎ行目の放電セルＣｎ，ｋに至るまで行い、書込み動作が終了する。
【００４１】
維持期間では、走査電極ＳＣ１〜ＳＣｎおよび維持電極ＳＵ１〜ＳＵｎを０（Ｖ）に一旦戻した後、走査電極ＳＣ１〜ＳＣｎに正の維持パルス電圧Ｖｓを印加する。このとき、書込み放電を起こした放電セルＣｉ，ｊにおける走査電極ＳＣｉ上部と維持電極ＳＵｉ上部との間の電圧は、正の維持パルス電圧Ｖｓに加えて、書込み期間において走査電極ＳＣｉ上部および維持電極ＳＵｉ上部に蓄積された壁電圧が加算されて、放電開始電圧より大きくなる。これにより、放電セルＣｉ，ｊにおいて維持放電が発生する。以降同様に、走査電極ＳＣ１〜ＳＣｎと維持電極ＳＵ１〜ＳＵｎとに維持パルスを交互に印加することにより、書込み放電を起こした放電セルＣｉ，ｋに対して維持パルスの回数だけ維持放電が継続して行われ、維持放電による発光が発生する。
【００４２】
一方、このような放電の組み合わせによって画像表示を行う場合、放電そのものを安定的に形成することが安定した画像を表示する上で重要である。例えば、書込み放電が不安定だと、表示すべき画像信号に対応する放電セルに適切に壁電荷を形成することができず、維持放電が不安定だと、安定した発光表示ができない。いずれの場合も、ＰＤＰの画面上ではちらつきや輝度むらといった不具合として観測され、ＰＤＰの表示画像の品質を低下させる。そして、放電ガスに不純ガスが混入すると、放電開始電圧が上がるなどして、放電が不安定になることがある。
【００４３】
ここで、不純ガスの発生と放電ガスへの混入がどのようにして起こるのかを説明する。誘電体層３３ａ、３３ｂは、誘電体層の前駆体材料としての低融点ガラス材料の粉末、結着樹脂および溶剤を含有するペースト状の誘電体材料をスクリーン印刷等によって塗布する塗布工程、塗布された誘電体材料を乾燥して誘電体層の前駆体層を形成する乾燥工程、その後これを焼成することで誘電体層を形成する焼成工程により形成される。焼成工程では、結着樹脂および溶剤は熱分解され、溶融したガラス粉末によって誘電体層が形成されるが、結着樹脂および溶剤が熱分解される際、不純ガス（例えばＨ２Ｏ、ＣＯ２、あるいは炭化水素ガス等の有機系のガス等）が発生する。これら焼成時に発生した不純ガスを除去するため、ＰＤＰ１０に排気孔（図示せず）を設け、焼成工程中または焼成工程後、真空排気装置等によって排気孔から不純ガスをＰＤＰ１０の外へ排気する。そして、排気後、排気孔から放電ガスを放電空間に送入し、排気孔を封着して、放電空間を密封する。
【００４４】
しかし、上述した排気孔からの排気だけでは不純ガスを完全に除去することはできず、その一部が放電空間に残留することがある。また、排気される前に保護層２５等に吸着された不純ガスの一部が、放電動作を安定させるため長時間放電を行うエージング工程において、放電の刺激によって保護層２５等から再放出されることがある。このようにして、不純ガスが放電ガスに混入する。
【００４５】
そして、これらの不純ガスは放電を阻害する働きを持つため、不純ガスが放電ガスに混入することで、放電開始電圧の上昇や放電のばらつき等を引き起こし、これら不安定な放電によって表示画面上のちらつきや輝度むら等の不具合が発生する。
【００４６】
そこで、本発明の第１の実施の形態では、これら不純ガスを除去するため、図５の隙間部４１の拡大断面図に示すように、主放電セル４０に隣接した隙間部４１を複数設け、それぞれの隙間部４１の横隔壁３４ｂの側面および誘電体層３３ｂ上にガス吸着層４２を形成する。このようにガス吸着層４２を形成することで、ＰＤＰ１０におけるガス吸着層４２の総面積を大きくすることができ、より多くの不純ガスを吸着することが可能となる。また、ガス吸着層４２を主放電セル４０に隣接して形成しているので、主放電セル４０内の保護層２５等から放電の刺激によって再放出された不純ガスを効率的に吸着することができる。さらに、隙間部４１では放電を発生しないので、ガス吸着層４２に吸着された不純ガスの再放出を最小限に抑えることができる。
【００４７】
このように、本発明の第１の実施の形態では、主放電セル４０に隣接して複数の隙間部４１を設け、それぞれの隙間部４１にガス吸着層４２を形成することで、主放電セル４０における放電がガス吸着層４２によって阻害されることがなく、かつ、より多くの不純ガスを効率よく吸着することができ、さらに、吸着された不純ガスの再放出を最小限に抑えることができるので、放電ガスの純度を維持することができ、安定した放電を実現して画像表示品質に優れたＰＤＰを提供することができる。
【００４８】
なお、ガス吸着層４２の材料としては、不純ガスを吸着する性質を有するものであれば特に何を用いてもかまわないが、例えば、ＴｉＯ２を主成分とする材料やＭｇＯを主成分とする材料、Ｚｒを主成分とする材料等の比表面積が比較的大きい材料が用いられる。これらは、吸着能力が大きく、ガス吸着層４２の材料として好ましい。
【００４９】
また、本発明の第１の実施の形態ではプライミングセル４１ａにガス吸着層４２を形成しない例を説明したが、プライミングセル４１ａにガス吸着層４２を形成してもかまわない。プライミングセル４１ａにもガス吸着層４２を形成することで、ＰＤＰ１０におけるガス吸着層４２の総面積が増え、不純ガスをより効率的に吸着することができる。なお、この構成では、プライミングセル４１ａに形成されたガス吸着層４２からプライミング放電によって不純ガスが再放出される恐れがあるが、プライミング放電は書込み放電や維持放電と比較して放電自体が小さいので、プライミング放電によって再放出される不純ガスの量も少なく、十分にガス吸着層としての役目を果たすことができると考えられる。
【００５０】
なお、本発明の第１の実施の形態では、背面板６０側にプライミング電極３６を設け、プライミングセル４１ａにてプライミング放電を行うＰＤＰ１０を例に説明を行ったが、これは本発明の一実施の形態に過ぎず、例えば、図６の３電極方式ＰＤＰの断面図に示すように、３電極方式のＰＤＰにおいても、主放電セル４０に隣接して隙間部４１を設け、隙間部４１内にガス吸着層４２を形成することで、同様の効果を得ることができる。
【００５１】
なお、隙間部４１にガス吸着層４２を形成する際の塗布方法は特に限定されるものではないが、隙間部４１のような連続したスリット内にペーストを充填する方法として、ノズルからペーストを吐出させながらノズル走査する方法等が好適である。
【産業上の利用可能性】
【００５２】
本発明に係るＰＤＰは、主放電セルにおける放電がガス吸着層によって阻害されることがなく、また、吸着された不純ガスが再放出されにくく、効率的に不純ガスを吸着することができるので、壁掛けテレビや大型モニター等のディスプレイ装置として有用である。
【図面の簡単な説明】
【００５３】
【図１】本発明の第１の実施の形態におけるＰＤＰの断面図
【図２】同ＰＤＰの背面基板側の構造を模式的に示す斜視図
【図３】同ＰＤＰの電極配列図
【図４】同ＰＤＰの駆動波形図
【図５】同ＰＤＰの隙間部の拡大断面図
【図６】３電極方式ＰＤＰの断面図
【符号の説明】
【００５４】
１０    ＰＤＰ
２１    （ガラス製の）前面基板
２２    走査電極
２２ａ，２３ａ    透明電極
２２ｂ，２３ｂ    金属母線
２２ｂ’    補助電極
２３    維持電極
２４    前面板誘電体層
２５    保護層
２８    光吸収層
３１    （ガラス製の）背面基板
３２    データ電極
３３ａ，３３ｂ    誘電体層
３４    隔壁
３４ａ    縦隔壁
３４ｂ    横隔壁
３５    蛍光体層
３６    プライミング電極
４０    主放電セル
４１    隙間部
４１ａ    プライミング（放電）セル
４２    ガス吸着層
５０    前面板
６０    背面板
【図１】
2005302547.tif 000003
【図２】
2005302547.tif 000004
【図３】
2005302547.tif 000005
【図４】
2005302547.tif 000006
【図５】
2005302547.tif 000007
【図６】
2005302547.tif 000008